(57)【要約】【課題】簡便に同一形状のものが調達可能な生花配設部材を提供する。【解決手段】花器２７の内部に装着し、生花用の花を配設する生花配設部材であって、  生分解性樹脂にて形成されたものであり、ロッド状部材２１、分岐ロッド状部材２３、前記ロッド状部材２１を接続するＹ字状ジョイント部材、前記ロッド状部材を接続する十字状ジョイント部材から選択される形状を有する生花配設部材とする。【選択図】図１
2007044424.tif 000002
【特許請求の範囲】
【請求項１】
花器の内部に装着し、生花用の樹枝・草花を配設する生花配設部材であって、
生分解性樹脂にて形成されたものであり、
ロッド状部材、分岐状部材、前記ロッド状部材を接続するＹ字状ジョイント部材、前記ロッド状部材を接続する十字状ジョイント部材から選択される形状を有することを特徴とする生花配設部材
【請求項２】
前記生分解性樹脂がポリ乳酸を主成分とする樹脂であることを特徴とする請求項１に記載の生花配設部材。
【発明の詳細な説明】
【技術分野】
【０００１】
本発明は、花器の内部に装着し、生花用の樹枝・草花を配設する生花配設部材に関するものである。
【背景技術】
【０００２】
生花の分野において樹枝・草花を一定の美観を与えるように配設する方法として、水盤のように広く浅い花器を使用し、主として盛り花を生ける場合には剣山が使用される。これに対して、深さのある花器を使用する場合には、生けるべき樹枝・草花を配置するためにＹ字状もしくは井桁状の花配りと称される（木蜜（コミ）とも称される）生花配設部材及びロッド状の花留めないし木留めと称される生花配設部材が、花器の開口部を区画するように配設使用される(例えば非特許文献1など)。
【０００３】
非特許文献１においては、花配り、花留め、木留めとしては、天然の木の枝を使用したものが示されており、ロッド状の枝の一端から中央部側に縦割りしてＹ字状とした花配りが示されている。これ以外にも分岐したＹ字状の枝を切り取った花配り（又木配り）やロッド状の枝を井桁状に配設した花配り（井筒配り）も一般的に使用されている。
【０００４】
【非特許文献１】「花配りの作り方」[平成17年7月14日検索]；インターネット＜URL:http://www.nihonkoryu.org/jp/school/shohonokiso/hanakubari.html＞
【発明の開示】
【発明が解決しようとする課題】
【０００５】
しかし、非特許文献１に開示された花配りは天然の樹木の枝を使用したものであるために、形状や枝の太さが不揃いであり、生花に使用する樹枝・草花と花器を選定すると同時に多くの天然の生花配設部材を購入し、その中から適当なものを選択し、残りは不要であるために廃棄しなければならず、費用の点で無駄が多いという問題を有する。また華道教室のように複数の人が同じ組み合わせの花、草木、樹枝を使用して花を生ける場合においては、一定した形状の花配りを人数分調達することが難しいものでもある。生花配設部材は花器の中に固定して花を生けるものであり、花、草木、樹枝を挿入したときには弾性変形して受容すると共に倒れないように支持しなければならない。そのために天然の生花配設部材の場合には、枝を削って細くして剛性を調整することが必要な場合もあり、花を生ける場合に生花配設部材の調整にかなりの時間と労力を費やしなければならなかった。このように従来の生花配設部材は、費用の点で無駄が多く、また華道の教授において真の流儀を十分に伝授することができないという問題を有するものであった。
【０００６】
本発明は、同一形状を有していて必要な弾性率と可とう性を有するものが簡便に調達可能であり、数多く購入して適切なもの以外を廃棄するという費用の無駄がなく、しかも華道の教授において真の流儀を伝授しやすい生花配設部材を提供することを目的とする。
【課題を解決するための手段】
【０００７】
本発明は、花器の内部に装着し、生花用の樹枝・草花を配設する生花配設部材であって、
生分解性樹脂にて形成されたものであり、
ロッド状部材、分岐状部材、前記ロッド状部材を接続するＹ字状ジョイント部材、前記ロッド状部材を接続する十字状ジョイント部材から選択される形状を有することを特徴とする。
【０００８】
係る構成の生花配設部材は、同一形状を有していて必要な弾性率と可とう性を有するものが簡便に調達可能である。従って生けようとする花と花器に合わないものを廃棄する必要がない。ロッド状の部材並びに分岐状部材は、使用する花器の内径に合わせて枝を切断して使用する。分岐状部材である分岐状ロッド部材は、ロッド状部材の一端から中央部まで切欠きを設けた部材であり、使用容器に応じた長さに切断すると共に必要な開きを与えて使用する。これらの生花配設部材は熱可塑性樹脂で構成されているために分岐の開きは分岐部の加熱により任意に調整可能である。Ｙ字状ジョイント部材並びに十字状ジョイント部材はロッド状部材と接続することによってＹ字状の又配り並びに井筒配りとして使用する。接続するロッド状部材の長さは使用する花器に応じて切断する。
【０００９】
また本発明の生花配設部材は生分解性樹脂を使用することにより生花を生けて展示した後に処分する場合に天然物である樹枝・草花と樹脂を分別する必要なく廃棄処分することができるという効果も有する。
【００１０】
上記の生花配設部材においては、前記生分解性樹脂がポリ乳酸を主成分とする樹脂であることが好ましい。
【００１１】
ポリ乳酸は生分解性に優れた熱可塑性樹脂であり、かつガラス転移温度が６０〜７０℃であるために、ヘアドライヤーの温風を当てることによって軟化させ、変形させることができ、天然の木の枝を使用した場合と比較すると、生ける樹枝・草花の枝や茎の太さや本数に適合した好ましい形状に曲げ加工して使用することができるという特徴を有する。
【発明を実施するための最良の形態】
【００１２】
本発明の生花配設部材を構成する生分解性樹脂としては、公知の生分解性樹脂の中で花配りとして使用するに適した剛性を有する樹脂を限定なく使用することができる。具体的には、ポリ乳酸（商品名レイシア；三井化学）、ポリ−３−ヒドロキシブチレート（ビオグリーン；三菱ガス化学）等が例示される。これらの生分解性樹脂は単独で使用してもよく、２種以上を併用してもよい。ポリ乳酸並びにポリ−３−ヒドロキシブチレートは引張り弾性率が２〜４ＧＰａであり、ポリエチレンテレフタレート（ＰＥＴ）と同等の剛性を有するものであり、太さを調整することにより樹木と同等の剛性を有する生花配設部材とすることができる。これらの中でも上述のようにポリ乳酸の使用がより好ましい。
【００１３】
またこれらの剛性の高い樹脂を主成分として使用し、剛性の低い生分解性樹脂をブレンドした樹脂を使用してもよい。係る剛性の低い生分解性樹脂としては、ポリ−ε−カプロラクトン（商品名セルグリーンＰＨ；ダイセル化学工業）、ポリブチレンサクシネート、ポリ（ブチレンサクシンート−アジペート）（商品名ビオーレ；昭和高分子）、ポリエチレンサクシネート（ルナーレＳＥ；日本触媒）等が例示される。
【００１４】
生分解性樹脂はソリッドであってもよいが、発泡体としてもよい。発泡体とすることによって低剛性の生分解性樹脂をブレンドすることなくポリ乳酸やポリ−３−ヒドロキシブチレート等の生分解性樹脂の剛性を低下させることができる。生分解性樹脂の発泡体は、例えば押出機のスクリューの中央部近傍に炭酸ガス供給装置を設け、溶融した生分解性樹脂に炭酸ガスを混合した後に押し出す押出成形法や射出成形法などにより製造することができる。
【実施例１】
【００１５】
図１は、本発明の分岐状の生花配設部材を例示した正面図である。図１（ａ）はＹ字状部材、図１（ｂ）は音叉状部材、図１（ｃ）は一端部から中央部近傍までスリットが形成された分岐ロッド状の生花配設部材である。Ｙ字状部材は、分岐の角度θが１５度程度のものは「向掛」と称されて主として比較的小さな花器に小枝を生けるのに使用され、θが１０度程度のものは「月」と称されて主として内径が３ｃｍ程度の花器に生花を行うときに使用される。またθが４５度程度のものは「桜」と称され、太い幹を有する草木を使用する場合に使用される。図１（ｂ）の音叉状部材は、樹枝を多く生ける場合に使用される。
【００１６】
図２には単純なロッド状の生花配設部材を斜視図にて例示した。図２（ａ）は円柱状の部材であり、図２（ｂ）は角柱状の部材である。
【００１７】
図１並びに図２に示した生花配設部材のロッド部位の断面形状は特に限定されるものではなく、円形、矩形、楕円形、多角形や半円形などであってもよい。また断面積（太さ）は、使用する樹脂の強度や剛性を考慮して生花中に破損することがないように、また特に分岐状部材の場合には花器内において底面より所定の高さに略水平方向、即ち花器の開口を複数に区画するべく配置できるように適度の弾性をもって花器内面に弾接可能に設定される。
【００１８】
本発明の生花配設部材は、熱可塑性樹脂の公知の成形法により製造することができ、具体的には射出成形法や押出成形法により製造可能である。図１（ａ），（ｂ）に示した分岐ロッド状生花配設部材は射出成形法によることが好ましく、図１（ｃ）に示した分岐ロッド状生花配設部材は射出成形法により製造することもでき、押出成形法で製造したロッドにスリット加工を施すことによっても製造することができる。図２に示したロッド状生花配設部材は押出成形法により連続状に成形しつつ所定長さに裁断して製造することが低コストにて製造できるので好ましい。
【００１９】
図３にはロッド状生花配設部材を接続してＹ字状の生花配設部材や井桁状の生花配設部材とするＹ字状ジョイント部材（ａ）及び十字状ジョイント部材（ｂ）を示した。これらの部材は射出成形法により製造することが好ましい。ジョイント部材は端部にロッド状生花配設部材を嵌着できる凹部を有している。
【００２０】
図５には、図１に例示したＹ字状の生花配設部材（花配り）２３と図２に例示したロッド状生花配設部材（花留め）２１を組み合わせて使用し、樹枝・草花２５を生けた状態を上面図（ａ）及び図５（ａ）のＸ−Ｘ縦断側面図にて例示した。Ｙ字状の生花配設部材２３は、幹と両枝を花器２７の内面に配設可能に切断する。幹と両枝の切断長さは、おいて花器の底面から所定の高さの内面に弾接して配置できるように設定する。ロッド状生花配設部材２１は全ての樹枝・草花２５をＹ字状生花配設部材２３の分岐とロッド状生花配設部材２１により形成される略三角形の空間に挿入した状態において適度にたわんで挿入した樹枝・草花２５を倒れたり動いたりしないように、かつ樹枝・草花２５の枝や茎を押し潰さないように支持するような長さに裁断し、必要に応じてドライヤーにて加熱して湾曲させる。
【図面の簡単な説明】
【００２１】
【図１】本発明の分岐ロッド状生花配設部材を例示した正面図
【図２】本発明のロッド状の生花配設部材を例示した斜視図
【図３】本発明の生花配設部材を構成するＹ字状ジョイント部材と十字状ジョイント部材を例示した正面図
【図４】十字状ジョイント部材とロッド状部材とを組み合わせて作製した井桁状生花配設部材を示した斜視図
【図５】Ｙ字状生花配設部材とロッド状生花配設部材を花器に配設して樹枝・草花を配設した状態を例示した上面図及び縦断側面図
【符号の説明】
【００２２】
２１    ロッド状部材
２３    分岐ロッド状部材
２５    樹枝・草花
２７    花器
【図１】
2007044424.tif 000003
【図２】
2007044424.tif 000004
【図３】
2007044424.tif 000005
【図４】
2007044424.tif 000006
【図５】
2007044424.tif 000007